(57)【要約】【課題】  珊瑚に貴金属や宝石を埋め込む為の加工を施し、貴金属や宝石を埋め込んだ装飾珊瑚を提供することを目的とする。【解決手段】  珊瑚の表面に宝石や貴金属を埋め込み易くする方法として、マスキングを施してサンドブラスト、又はレーザーマーカー、ドリリングマシーン、グラインダー、ルーター、ミーリングなどを用いて珊瑚の表面を削ったり、宝石や貴金属を埋め込む為の貫通しない穴を作ったり、また、宝石や貴金属を埋め込む為の溝を珊瑚の表面に掘ったりする。【選択図】図１
0003162558.tif 000002
【実用新案登録請求の範囲】
【請求項１】
珊瑚の表面にガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込み易いように、マスキングを施しサンドブラスト、又はレーザーマーカー、ドリリングマシーン、グラインダー、ルーター、ミーリングなどを珊瑚の表面にを用いて上記珊瑚の表面を加工することにより、上記珊瑚に上記貴金属又は上記宝石の装飾が施されたことを特徴とする装飾珊瑚。
【考案の詳細な説明】
【技術分野】
【０００１】  本考案は、装飾珊瑚に係り、更に詳しくは、貴金属や宝石の装飾を施した装飾珊瑚の改良に関する。
【背景技術】
【０００２】  従来の珊瑚は、表面を磨いたものを単体で、置物や指輪やネックレスやイヤリングとして使う為に、せいぜい表面を研磨するか、ネックレスのように複数個を繋げる為に、珊瑚に貫通穴を設けてあるが、基本的に、珊瑚その物の持ち味を損なう事無く、単体、若しくは複数個使う為の加工が施されてあった。
【考案の概要】
【考案が解決しようとする課題】
【０００３】  従来の珊瑚は、そのままの珊瑚の形、若しくは球形や円柱形をはじめとした様々な形に加工され、装飾品として組み込んで使用する事を常識としていた。表面に他の貴金属や宝石を埋め込んだ珊瑚の装飾品は他には無く、品質の悪い珊瑚は低価格で取引されたり、廃棄されたりした。【０００４】  本考案は、上記の事情に鑑みてなされたものであり、珊瑚に他の貴金属や宝石を埋め込む為の加工を施す事により、他の貴金属や宝石を埋め込むデザイン性や付加価値を付けることで、また、多様なデザインを可能とし、新しい購買のマーケットを開くことを目的とする。
【課題を解決するための手段】
【０００５】  本考案による珊瑚は、珊瑚の表面にガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込み易いように、マスキングを施しサンドブラスト、又はレーザーマーカー、ドリリングマシーン、グラインダー、ルーター、ミーリングなどを珊瑚の表面にを用いて上記珊瑚の表面を加工することにより、上記珊瑚に上記貴金属又は上記宝石の装飾が施されて構成される。また、漆などの塗料を表面に塗布する装飾を施す場合もある。【０００６】  この様な構成によれば、珊瑚の表面を加工して、他の貴金属や宝石を当該表面に埋め込み易くするので、容易に他の貴金属や宝石の装飾を施すことができる。このため、珊瑚に多様なデザイン性や付加価値を付けることができる。
【考案の効果】
【０００７】  珊瑚の表面にガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を、埋め込む為の加工を施す事により、多様なデザイン性や付加価値を付けることができ、より多様性、装飾性のある珊瑚の利用を可能となる。そうする事によって新しい購買のマーケットが開ける。
【図面の簡単な説明】
【０００８】
【図１】  本考案の実施の形態による装飾珊瑚の一構成例を示した外観図である。
【図２】  本考案の実施の形態による装飾珊瑚の別の一構成例を示した外観図である。
【考案を実施するための形態】
【０００９】  珊瑚の表面にガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込み易いように、マスキングを施しサンドブラスト、又はレーザーマーカー、ドリリングマシーン、グラインダー、ルーター、ミーリングなどを珊瑚の表面にを用いて上記珊瑚の表面を加工することにより、珊瑚の表面を削ったり、他の宝石や貴金属を埋め込む為の貫通しない穴を作ったり、他の宝石や貴金属を埋め込む為の溝を珊瑚の表面に掘ったりする。加工する珊瑚の素材は必ずしも球形である必要は無い。
【００１０】  図１は、本考案の実施の形態による装飾珊瑚の一構成例を示した外観図である。装飾珊瑚１００には、複数の溝１が設けられ、この溝１に貴金属又は宝石が埋め込まれている。溝は一本でも構わない。この様にして貴金属又は宝石を埋め込むことにより、珊瑚のデザイン性を向上させることができる。
【００１１】  図２は、本考案の実施の形態による装飾珊瑚の他の構成例を示した外観図である。装飾珊瑚２００には、非貫通穴として複数の窪み部２が設けられ、これらの窪み部２に貴金属又は宝石が埋め込まれている。この様にしてガラス、シルバー、プラチナ、ジルコニア、金などの貴金属や、エメラルド、ルビー、サファイヤ、アメジスト、オパール、トパーズ、ペリドット、アクアマリン、シトリン、アメトリン、ガーネット、ツァボライト、デマントイド、マンダリンガーネット、トルマリン、ルベライトトルマリン、グリーントルマリン、パライバトルマリン、イエロートルマリン、ブルートルマリン、マルチカラートルマリン、タンザナイト、ラピスラズリー、サファイヤ、クォーツ、ヒスイ、ジルコン、アイオライト、スピネル、ファイヤーオパール、ムーンストーン、アレキサンドライト、クリソベリル、クンツアイト、ベリル、モルガナイト、クロムダイオプサイド、アンダルサイト、琥珀、トルコ石、サンゴ、アゲート、オニックス、ブラッドストーン、ジャスパー、パール、ダイヤモンドなどの宝石を埋め込むことにより、珊瑚に多彩な装飾を施すことができる。
【符号の説明】
【００１２】１      溝
２      窪み部
１００  装飾珊瑚
２００  装飾珊瑚
【図１】
0003162558.tif 000003
【図２】
0003162558.tif 000004